(57)【要約】  本発明によれば昆虫監視及び捕獲装置が提供される。この装置はベース１０２及びベースをカバーするための蓋１０４を含み、捕獲装置内部及び昆虫が捕獲装置内部に接近するための昆虫用開口を与えるように構成される。この装置は、昆虫を誘引するために捕獲装置内部に配置される加熱装置１１２及び昆虫を捕獲するために捕獲装置内部に配置される接着面を含む。【選択図】図１１
2009505675.tif 000002
【特許請求の範囲】
【請求項１】
交互に頂部と溝部を形成する波形層と、
昆虫を移動不能にする第一の接着ボードと、を含み、
前記第一の接着ボードが前記波形層の頂部に取り付けられることを特徴とする、昆虫監視及び捕獲装置。
【請求項２】
前記第一の接着ボードが２つの面に接着剤を含むことを特徴とする、請求項１に記載の装置。
【請求項３】
さらに、前記第一の接着ボードと反対側の前記波形層の頂部に取り付けられる第二の接着ボード、を含むことを特徴とする、請求項１に記載の装置。
【請求項４】
前記第二の接着ボードが前記波形層と接する前記接着ボードの面に昆虫を捕獲するための接着剤を含むことを特徴とする、請求項３に記載の装置。
【請求項５】
前記波形層が厚紙（ボール紙）、紙またはセルロース繊維の少なくとも１つを含むことを特徴とする、請求項１に記載の装置。
【請求項６】
ベース及び該ベースをカバーするための蓋であり、前記ベース及び前記蓋が、捕獲装置内部と、昆虫が前記捕獲装置内部に接近するための昆虫用開口と、を形成する、ベース及び蓋と、
昆虫を誘引するために前記捕獲装置内部に配置される加熱装置と、
昆虫を捕獲するために前記捕獲装置内部に配置される接着面と、を含むことを特徴とする、昆虫監視及び捕獲装置。
【請求項７】
昆虫が前記捕獲装置内部に入るため乗り越える周囲壁を、前記ベースが含むことを特徴とする、請求項６に記載の捕獲装置。
【請求項８】
前記周囲壁が鋸歯を有する上面を含むことを特徴とする、請求項７に記載の捕獲装置。
【請求項９】
前記周囲壁が、昆虫が前記壁を上り易くするための肌理を持つ外面を有することを特徴とする、請求項７に記載の捕獲装置。
【請求項１０】
前記壁が傾斜面である内面を有することを特徴とする、請求項７に記載の捕獲装置。
【請求項１１】
前記傾斜面が、昆虫が前記壁上面から接着面に落ちるように充分な角度で設けられることを特徴とする、請求項１０に記載の捕獲装置。
【請求項１２】
前記接着面が前記ベースの底面に設けられ、前記周囲壁まで伸びることを特徴とする、請求項７に記載の捕獲装置。
【請求項１３】
前記加熱装置が化学的加熱装置を含むことを特徴とする、請求項６に記載の捕獲装置。
【請求項１４】
前記加熱装置が電気加熱装置を含むことを特徴とする、請求項６に記載の捕獲装置。
【請求項１５】
前記電気加熱装置が電池式電気加熱装置を含むことを特徴とする、請求項１４に記載の捕獲装置。
【請求項１６】
前記電気加熱装置が前記捕獲装置外部の電源から電力を受けるためにコードを含むことを特徴とする、請求項１５に記載の捕獲装置。
【請求項１７】
前記加熱装置が約３０°Ｃ（８０°Ｆ）から約３８°Ｃ（１００°Ｆ）までの表面温度を与えることを特徴とする、請求項６に記載の捕獲装置。
【請求項１８】
さらに、昆虫を誘引するために前記捕獲装置内部に餌または誘引物質を含むことを特徴とする、請求項６に記載の捕獲装置。
【請求項１９】
前記餌または誘引物質が前記加熱装置上または前記接着面上に配置されることを特徴とする、請求項１８に記載の捕獲装置。
【発明の詳細な説明】
【技術分野】
【０００１】
本発明は昆虫の監視及び捕獲装置に関する。この装置は特に南京虫を監視し捕獲するのに特に適する。
【背景技術】
【０００２】
南京虫は、動物の血液のみを栄養とする小型の昆虫である。一般の南京虫 Cimex Lectularus は人間と共生するのに最も適する南京虫の種である。米国に居住する多くの人は南京虫を見たことがないが、古代から南京虫は人間と共に生きてきた。しかし、最近数十年間の海外旅行の増大は米国における南京虫の復活に寄与した。南京虫がある場所で存在を確立してしまうとこれを絶滅させるのを困難にする多くの南京虫の特徴がある。
【０００３】
南京虫の成虫は約１／４インチすなわち約６ミリメートルの長さ、５〜６ミリメートルの幅の、楕円形の平らな赤茶の体を持つ。若虫は成虫の外観と似ているが、もっと小さく色が薄い。南京虫は飛ばないが、表面を非常に敏速に動くことができる。雌の南京虫は人目に触れないエリアに産卵して、１日に最高５個の卵、生涯で５００個ほどの卵を産み付けることができる。南京虫の卵はダスト程度のサイズで非常に小さい。産み付けられたとき、卵は粘り気があるので、卵は表面に付着する。
【０００４】
南京虫は餌なしで長時間生きられる。若い虫は餌なしで数ヶ月間生きられ、成虫は１年以上生きられる。従って、ある場所を未使用にしておくことにより蔓延を防止することはできそうもない。
【０００５】
南京虫は夜間活動的であり、日中は主に小さい凹部または割れ目に潜んでいる。南京虫は、ベッド、ベッドフレーム、家具の底板に沿って、カーペット類に、また無数のその他の場所に簡単に隠れ場所を見つけることができる。南京虫は集合する傾向があるが、他の一部の昆虫のように巣を築かない。
【０００６】
南京虫は細長い口先を通じて血液を引き寄せることによってその栄養を摂る。人間は咬まれていると感じないかも知れないが、南京虫は３分から１０分人間から糧を得る。咬まれた後、犠牲者は多くの場合咬まれた部分に痒いミミズ腫れまたは腫れを体験する。しかし、一部の人々は南京虫に咬まれても何の反応もないかまたはごく僅かの反応しか持たない。南京虫の咬み跡は蚊及びダニなど他の昆虫の咬み跡と同様の症状を持つ。実際に南京虫を観測することなく咬み跡が南京虫によるものかまたは他のタイプの昆虫によるものかを判断することは可能ではない。その結果、南京虫の蔓延は発見されることなく長期間続く場合がある。
【０００７】
南京虫の蔓延は南京虫が新しいエリアに持ち運ばれることに源を発する。南京虫は所持品にぴったりくっ付いて小さいスペースに隠れることができるので、旅行者の持ち物の中にいて容易に運ばれることができる。その結果、ホテルまたはアパートメントなど占有者の回転が速い建物は特に南京虫が蔓延しやすい。
【０００８】
本明細書において説明される南京虫の全ての特徴のために、南京虫は絶滅させるのが難しい。害虫除去専門家及び殺虫剤が必要とされる。部屋から全ての散乱物及び不必要なものを全て取り除き、掃除機でできる限り南京虫及び卵を取り除いて、隠れ場所の可能性のあるところに殺虫剤を塗る必要がある。絶滅のためのこの種の処置は、ホテルなどのビジネスにとって破滅的である可能性がある。その結果、蔓延が確立される前にできる限り早期に南京虫を見つけることが非常に望ましい。
【発明の開示】
【発明が解決しようとする課題】
【０００９】
南京虫の小さく移動性でこっそりとした行動は蔓延を防止するのをほぼ不可能にする。しかし、できる限り早期に発見すれば最も容易にこの虫を絶滅させることが可能になる。特にホテル業は南京虫の早期発見のための装置及び方法を必要とする。
【課題を解決するための手段】
【００１０】
本発明によれば昆虫監視及び捕獲装置が提供される。この装置は第一の接着ボード用の波形層を含む。波形層は交互に頂部と溝部を形成する。第一の接着ボードは波形層の頂部に貼り付けられ、虫を移動不能にするように構成される。
【００１１】
本発明によれば昆虫監視及び捕獲装置の代替実施形態が提供される。この装置はベース及びベースをカバーするための蓋を含み、捕獲装置内部及び捕獲装置内部へ昆虫が接近できるようにするための昆虫用開口を備えるように構成される。この装置は昆虫を誘引するために捕獲装置内部に配置される加熱装置及び昆虫を捕獲するために捕獲装置内部に配置される接着面を含む。
【発明を実施するための最良の形態】
【００１２】
本発明は、南京虫の到着後できる限り早期に一定場所の南京虫を発見して、早期の完全駆除に着手できるようにするのに役立つ。ホテルにおいては、客または一般人がただ一度南京虫に出会うだけでも客の満足度を低下させ、地域においてマイナスの評判が立つ可能性がある。南京虫の早期の監視及び発見はこのようなマイナスの影響の可能性を小さくするのに役立つ。
【００１３】
本発明は南京虫を誘引し、南京虫を保持するまたは南京虫による捕獲装置の通過を記録する南京虫監視装置である。
【００１４】
本発明の南京虫監視装置は２つの基本的な特徴すなわち誘引及び保持または記録メカニズムを含むことができる（発見及び設置）。監視装置を設計する際、監視装置内の南京虫の存在をどのように検出するか、また監視装置をどこに置くかを考慮することも重要である。南京虫監視装置のこれらの特徴の各々について、各コンポーネントの目的をいかに達成するかの例を示すことによって詳細に説明する。
【００１５】
誘引メカニズム
南京虫が監視装置に出会う可能性が増大するので誘引メカニズムを南京虫監視装置に使用することが望ましい。このことは、また、南京虫蔓延の早期発見の確率を増す。
【００１６】
フェロモン
誘引物質の一例は集合フェロモンまたは移動阻止フェロモンである。フェロモンは、ジェル状、固体状であるかまたは別の物質に含浸される。フェロモンを含浸させることができる物質の例は厚紙、プラスティックまたは接着ボードを含むことができる。フェロモンは吸収パッドに組み込むこともできる。
【００１７】
吸収パッドに適する紡織及び不織物質は、天然繊維（例えば、ウールまたはコットン繊維）、ポリオレフィン（例えば、ポリエチレン及びポリプロピレン）、ポリエステル、ポリアミド及び合成セルロース誘導体（例えばＲＡＹＯＮ（登録商標））など合成繊維または天然繊維と合成繊維の組合せを含む。梳毛、不織、メルトブロウン（meltblown）、エアレイド（airlaid）、ニードルパンチなど既知の工程を用いてこの種の合成繊維を製造することができる。例えば、吸収材は脱脂綿、繊維化セルロースパルプ、合成綿、ポリエステル綿、フェルト、接着カードウェブ、高ロフト不織材、及び混合セルロースパルプ及びポリプロピレン材を含むことができる。許容可能な吸収材の例は、米国特許出願公開２００３０１２７１０８号において説明されており、前記出願は参照によって本明細書に組み込まれる。
【００１８】
１つの形態において、パッドは吸収材及びカバーの両方を含むことができる。このカバーは、不織材、開口成形熱可塑性フィルム、ハイドロフォーム熱可塑性フィルム、多孔フォーム及び熱可塑性スクリムなどの材料を含む。
【００１９】
カバーを用いることの１つの利点は、フェロモンなど化学的液体誘引物質がこれを通り抜けてパッドに吸収されるようにできることである。活性フェロモン組成は液体溶媒に縣濁していることが多く、熱または乾燥空気などを用いて蒸発させてフェロモン物質のみを残すことができる。その後フェロモン物資はパッド内に埋め込まれ、パッドカバーによって保護される。このような構成は昆虫がパッドの上を歩くときフェロモンが虫と一緒に運び去られる可能性を減少する。フェロモンはパッドの中に留まって、誘引効果を長引かせる。
【００２０】
このようなパッド材はどれも、昆虫をステーションへおびき寄せるための化学的誘引物質を含むことができる。餌を主原料とする誘引物質及びフェロモンを含めて多様な化学的誘引物質が既知である。
【００２１】
餌誘引物質
餌タイプの誘引物質を用いることができ、これを液体ジェルまたは固体状とすることができる。南京虫の場合、餌タイプの誘引物質は人間の匂いを模倣したものである。
【００２２】
触覚刺激
南京虫は、粗い肌理（きめ）の表面及び多孔性の表面の材料に誘引される。例えば、南京虫は滑らかなプラスティック材より木材または厚紙に集り易い。南京虫を誘引するために南京虫監視装置に組み込むことができる材料の例には、木材、厚紙（ボール紙）、波形紙、コットンまたは壁紙が含まれる。
【００２３】
５つの材料すなわちＴｒｅｃｅ社製のプラスティック材で作られたドーム捕獲装置、平らに保持するための紙クリップ付きの１ロールの綿繊維、３つの孔が開けられた（寝台の）頭板から得た木材のブロック、ステンレス鋼板及び厚紙について、南京虫の誘引性を比較するために実験室試験が行われた。頭板ブロックが他のどの材料より著しく南京虫を誘引した。厚紙材は、残りの３つの材料より著しく南京虫を誘引した。
【００２４】
木材及び厚紙が南京虫を誘引した考えられる理由の１つは、その粗い表面が南京虫の動きを容易にしかつ表面に摩擦機能を持つことであろう。もう１つの可能性は、木材などの材料が人間に近接しているベッドフレームなど餌源の近くにあることが多いことである。
【００２５】
厚紙は、軽量で、製造するのに経済的でありかつ廃棄処理時に木材より簡単に分解するので、南京虫監視装置の誘引メカニズムとして特に有益であろう。波形厚紙は溝部付き厚紙層を挟む２枚の滑らかな厚紙ライナー材から作られる。波形厚紙は粗さ及び南京虫が入り込むことができる小さい隙間の両方を備えるので、特に南京虫を誘引することができる。南京虫は約５から６ミリメートルの幅なので、頂部と頂部の距離が約６から７ミリメートルの溝部を持つ波形厚紙が望ましい。
【００２６】
熱伝達率の低い材料も南京虫に望ましく、捕獲装置用の誘引メカニズムとなる。
【００２７】
振動は、南京虫を誘引する可能性のあるもう１つの触覚刺激である。人間の血管を流れる血液は南京虫が感知できる振動の感覚を生じると考えられる。その結果、振動は南京虫監視装置における誘引メカニズムとして役立つ可能性がある。
【００２８】
熱は南京虫を誘引する触覚刺激のもう１つの例である。多様な方法で南京虫監視装置において熱を供給することができる。酸塩基反応を容易にするカプセルなど密閉構造を熱供給のために使用することができる。例えば、要求に応じて熱を供給するために水酸化カルシウムカプセルが市販されている。放射熱または赤外線熱として熱を供給することができる。
【００２９】
湿度は南京虫を誘引する触覚刺激のもう１つの例である。上述のタイプのものなどパッドに水分が浸み込んでいる吸収パッドを配置することによって南京虫監視装置に湿気を供給することができる。
【００３０】
嗅覚誘引物質
南京虫は呼吸、汗、毛または肌の油の成分を感知することによって自分の餌源を見つけることができる。人間の呼吸の下記の成分が南京虫監視装置における誘引メカニズムとして役立つ。すなわち、二酸化炭素、メタノール、メタン、フラン及びピリジン。
【００３１】
人間の汗の下記の成分を南京虫監視装置における誘引メカニズムとして使用できる。すなわち、乳酸、酪酸、オクテノール、インドール、６メチル５ヘプテン２ワン（6-methyl-5-hepten-2-one）、ゲラニルアセトン、１ドデカノール、３メチル１ブタノール、カルボン酸及び尿素。皮脂は誘引物質として使用できる肌の油の成分である。
【００３２】
保持
南京虫監視装置の１つの特徴は南京虫を保持または捕獲するまたはその他の方法で南京虫の存在を記録する能力である。南京虫の保持を伴わない検出メカニズムの例について本明細書において下記に詳しく説明する。しかし、一般的に南京虫が捕獲装置に存在したか否かを決定するための最も単純な方法は南京虫を保持することである。
【００３３】
南京虫を保持する接着剤で被覆された接着ボードを使用することができる。接着ボードは一般に防虫産業において使用され、ニューヨーク州ブルックリンの Atlantic  Paste  and  glue など多くの業者から入手できる。別の例は昆虫を捕らえるオイル容器、昆虫が付着するジェルまたはその他の物質、殺虫剤が含浸されたプラスティックの殺虫剤帯または粉末その他の形体の殺虫剤である。
【００３４】
上述の通り、南京虫の存在を検出するが南京虫を保持しない受動的システムも可能である。例えば、南京虫の体または排泄物に存在する化学物質を検出するために化学物質検出メカニズムを使用することができる。監視装置の表面はこの種の物質が検出されると色が変わる化学物質を持つことができる。また、空気中の特定の化学物質の存在を検出できる高度な化学的嗅覚性探知機も開発されている。
【００３５】
昆虫を捕獲しない電子センサを利用することもできる。このタイプのセンサの一例は２００３年３月２７に提出された「害虫を電気容量的に感知するための方法及び装置」と題する米国特許出願公開第２００３−０１８４４２号において説明されており、前記公開は参照によって本明細書に組み込まれる。前記公開において説明されているセンサを南京虫監視装置内部に配置することができる。
【００３６】
検出
南京虫が南京虫監視装置に出会ったら、できる限り速やかにその場所の管理者または所有者がこの出会いを知ることが重要である。その南京虫監視装置のデザインにより南京虫の存在の簡単で早期の検出が容易になる。
【００３７】
南京虫監視装置の目視検査は検出のための１つのメカニズムである。目視検査を容易にするために、捕獲装置の一部を簡単に取り外して元に戻すことができるか、これを透明にするか、または南京虫が一目瞭然であるようにこれを構成することができる。
【００３８】
ただし、南京虫監視装置の南京虫が施設内の客に簡単に見えることは望ましくない。本明細書においてさらに論じる通り南京虫監視装置を室内に配置することによってこの懸念に対処することができる。さらに、南京虫監視装置のデザインにより、監視装置検査方法について訓練を受けていない一般人から南京虫を隠すことを追加できる。
【００３９】
毎日客室を訪問する客室係が南京虫の存在について警告されていないことが望ましい場合がある。他方、できる限り早期に発見できるようにするために毎日監視装置を検査するために客室係を利用することができる。
【００４０】
南京虫の迅速な駆除を容易にする検出メカニズムの他の例は、南京虫が検出または保持されるときに監視装置において起動される光、南京虫監視装置から制御盤へ送られる電子信号または捕獲装置の材料の色の変化を含む。南京虫の存在に経営管理者の注意を喚起するために音声メールメッセージまたは電子メールメッセージを作成するために電子信号を使用することができる。
【００４１】
配置及び手入れ
室内の目立たない場所に南京虫監視装置を配置することができる。例えば、施設の客が見ることのないような頭板の後に南京虫監視装置を配置することができる。室内の隠された表面に南京虫監視装置を固定するために粘着剤を使用することができる。また、南京虫監視装置を表面に貼り付けるためにネジ、ネイルまたは鋲を使用することができる。
【００４２】
南京虫監視装置のもう１つの可能な設置場所はボックススプリングの下またはマットレスの下である。この場所に南京虫監視装置を貼り付けるために粘着剤を使用することができる。
【００４３】
南京虫監視装置に達するために蛇行経路が要求されるように南京虫監視装置を配置することが望ましい場合がある。このタイプの配置の場合、ホテルの客は監視装置を見ることはほとんどない。
【００４４】
多くの這い回る昆虫はエッジに沿って歩くことを好むので、この行動を利用して南京虫を監視装置の方向に導くことができる。南京虫監視装置を壁または頭板構造のエッジに沿って配置するか、監視装置自体を案内壁に組み込むことができる。
【００４５】
南京虫が通過できるようにするために充分に大きくかつ南京虫が案内壁に遭遇して保持メカニズムまで案内壁を辿れるようにするのに充分に近接する案内壁の間にアクセス開口が形成されるように南京虫監視装置用の多様な形態が可能である。また、南京虫が抑止手段の方向へ導かれる可能性を増大するために案内アームを南京虫監視装置から伸ばすことができる。案内アームまたは案内壁のエッジに沿ってフェロモンまたはその他の誘引物質を配置することができる。水平面または垂直面または水平でも垂直でもない表面（例えば、傾斜面）に南京虫監視装置を配置することができる。
【００４６】
南京虫監視装置の構成の例
次に南京虫監視装置の例について説明する。図１は、溝部付き厚紙層を用いる南京虫監視装置１０の側面図を示している。上述の通り、南京虫は厚紙の粗い表面に誘引される。さらに、厚紙層１２の溝部は南京虫が這い込むための隙間を提供する。この実施形態においては、溝部付き厚紙層は第一の接着ボード１４と第二の接着ボード１６の間に挟まれる。接着層１８及び２０は、各接着ボードの溝部付き厚紙層１２と接触する側に配置される。その結果、南京虫が厚紙の隙間に這い込むと、接着層１８または２０に接触して、動けなくなる。接着層は、また、接着ボードを溝部付き厚紙に固定するのにも役立つ。
【００４７】
厚紙ライナー２２及び２４は構造の残り部分を挟む。厚紙ライナー２２または２４の外面のいずれかに、監視装置１０を表面に貼り付けるための粘着剤を配置することができる。厚紙ライナーを接着ボードに固定するために接着剤を使用することができる。
【００４８】
図２は接着ボード１４が配置されている厚紙ライナー層２２を示している。接着ボード１４は昆虫を移動不能にするための接着剤１８を含む。厚紙ライナー２２の周囲部分２６は、接着剤１８に触れることなくユーザーが構造を掴むことができるようにするエリアとなる。
【００４９】
１つの別の形態において、南京虫監視装置は図１の監視装置と同様であるが、厚紙ライナー２２及び２４を含まない。
【００５０】
さらなる実施形態は、図１の溝部付き厚紙層及び単一の接着ボードを含み、溝部付き厚紙層の片面は露出される。この形態において、接着ボードの片面は昆虫を移動不能にする接着剤を持ち、この側は溝部付き厚紙層に貼り付けられる。接着ボードの反対面は監視装置を表面に固定するために粘着剤を備える。また接着ボードの反対側には粘着剤を配置せず、鋲またはその他の取り付けメカニズムが使用される。図１の要素の多様な置換が可能である。
【００５１】
監視装置１０は１つの実施形態において１３ｃｍ２（２平方インチ）である。６.５ｃｍ２以上１９.４ｃｍ２以下（１から３平方インチまで（１及び３を含む））の監視装置を持つこと及び正方形以外の形状の監視装置を構成することも可能である。
【００５２】
図３〜７は南京虫監視装置の別の例を示している。図３〜７の南京虫監視装置６０は２つの主要部分、すなわちベース６２及びカバー６６を含む。カバー６６を図４に示される半体６８、７０から外すためにカバーを強く握ることによって、カバー６６をベース６２から外すことができる。南京虫監視装置６０の構造についてのより詳しい情報は、２００３年１０月２９日に提出された「昆虫抑止ステーション」と題する米国特許出願第１０／６９７，７０５号から得られる。この出願の全体が参照により本明細書に組み込まれる。本明細書に組み込まれるこの特許出願は図３〜７の構造及びこの構造を昆虫の抑止ステーションとしてどのように使用できるかについて説明している。この構造は捕獲装置内の凹部に接着ボードを保持可能にするので、南京虫監視装置として使用するのにも非常に適している。ベース６２内部の下部凹部にまたはカバー６６内の上部凹部に接着ボードを納めることができる。
【００５３】
監視装置６０の構造のその他の詳細は、参照によって本明細書に組み込まれる特許出願第１０／６９７，７０５号において説明されているので、これ以上は説明しない。ただし、図に示される捕獲装置６０の特徴を修正して、南京虫監視装置として非常に適する多少異なる実施形態を得ることができる。例えば、図３〜４に示されるカバー６６をドーム型カバーではなく平らなカバーとすることができる。例えば装置が調理場またはホースで水を掛けて掃除されるその他のエリアに使用される場合、水またはその他の液体が監視装置内の昆虫抑止装置に達しないようにするためにドーム型カバーは有益である。しかし、南京虫監視装置は寝室に使用される可能性が高く、大量の水がかかることはなさそうなので、平らなカバーが望ましい。平らなカバーは装置の厚みをより小さくし、客に見えにくくすることができる。
【００５４】
耐衝撃性プラスティックまたはＡＢＳプラスティックなどかなりの剛性のプラスティック材で南京虫監視装置６０のベース６２を作ることができる。これに対して、蓋６６はベース６２より可撓性のプラスティックで作られる。１つの実施形態において、ベース及び蓋の材料は防水性でかつ（または）耐衝撃性である。ベース及び蓋の材料のいくつかの例は、耐衝撃性ポリプロピレン（ＨＩＰＰ）など熱成形プラスティック及びアクリロニトリルブタジエンスチレン（ＡＢＳ）である。他の可能な材料は、ポリクロロトリフルオロエチレン（ＰＣＴＦＥ）、ポリ塩化ビニリデン（ＰＶＤＣ）または高密度ポリエチレン（ＨＤＰＥ）を含む。さらに、厚紙（ボール紙）、ワックス板紙、亜鉛めっき金属、アルミニウム及び木材など非プラスティック材でステーションを構成することができる。
【００５５】
受入れエリア７２、７４において使用できる保持装置は図９に示される通り片面に接着剤１５６を含む接着ボード１５４である。ステーション６０の受入れエリア７２、７４の一方の接着ボード１５６に捕捉された昆虫は、ステーション６０内部に納められるので見ることができない。この形態により昆虫の存在の視覚による証拠を得ることができ、客または何気なく捕獲装置を見たものが捕捉された昆虫を見ることができる可能性を減少する。
【００５６】
第一の受入れエリア７２、第二の受入れエリア７４のいずれかまたはその両方に使用できる装置の例は図８に示されている。パッド１５０は、昆虫を誘引、監視、捕獲または給餌するための装置であるか、またはこれらの機能の任意の組合せを持つことができる。例えば、パッド１５０は昆虫センサまたは昆虫を捕獲するための接着ボードである。また、パッド１５０は化学的誘引物質を含むことができる。パッド１５０は一部の昆虫餌１５２を含むことができる。変更可能なパッド材の例として、ポリスチレン、厚紙または吸収材がある。
【００５７】
次に図１０〜１３を参照すると、昆虫監視及び捕獲装置の別の実施形態が参照番号１００で示されている。昆虫監視及び捕獲装置１００は、組み合わされて昆虫が捕獲装置内部１０８へ入れるようにする昆虫用開口１０６を形成するベース１０２とカバー１０４を含む。捕獲装置内部１０８は接着面１１０及び加熱装置１１２を含むことができる。さらに、捕獲装置内部１０８は餌または誘引物質１１４を含むことができる。接着面、加熱装置及び餌または誘引物質をベース１０２またはカバー１０４またはその両方に取り付けることができる。
【００５８】
ベース１０２は周囲壁１１６を含む。一般的に、周囲壁は南京虫が壁外面１１８を上れるようにする傾斜で設けることができる外面１１８を含む。壁外面１１８は昆虫が捕獲装置に入り易くする肌理を持つことができる。周囲壁１１６は一連の鋸歯１２２を含む上縁１２０を含むことができる。鋸歯は任意であると理解すべきである。ある種の昆虫は滑らかな表面より鋸歯の溝を上るほうを好む場合があると思われる。周囲壁１１６は壁内面１２８を含む。壁内面を傾斜面１２８として設けることができる。傾斜面１２８としての壁内面１２６の特徴は、上縁１２０を越える昆虫は直接捕獲装置内部１０８の中へ入るように水平から９０°未満の角度で伸びることを意味する（この場合、角度が上縁１２０からベース１０２に向かって降下するように測定される）。壁内面１２６は傾斜面１２８である必要はないと理解すべきである。ただし、傾斜面を設けることによって、昆虫を捕獲するのに有利な場合があると考えられる。例えば、昆虫が接着剤の中へ脚を踏み入れたがらない場合、傾斜面１２８を設けることによって、昆虫が上縁１２０の下に配置される接着剤の中に落ちた場合昆虫の捕獲が強化される。傾斜面１２８を持つ周囲壁１１６を含む捕獲装置を落とし穴捕獲装置と呼ぶことができる。
【００５９】
周囲壁１１６まで伸びるように接着面１１０を設けることができる。周囲壁が傾斜面１２８として特徴付けられる内面１２６を含む場合、上縁１２０越しに落ちる昆虫が接着面１１０に接するように、上縁１２０の下に接着面を設けることができる。ベース１０２の底面を覆う接着被膜としてまたはベースの底面に取り付けられる接着ボードとして接着面を設けることができる。
【００６０】
化学的加熱装置１３０または電気加熱装置１３２として加熱装置１１２を配置することができる。加熱装置１１２が昆虫を誘引するのに充分な温度を与えるように加熱装置１１２を構成することができる。一般的に、ある種の昆虫は人間の体温と同様の温度に誘引されると考えられる。目標温度範囲として挙げることができる温度範囲例は、加熱装置表面で測定して約３０°Ｃ（８０°Ｆ）から約３８°Ｃ（１００°Ｆ）までである。化学的加熱装置１３０の場合、化学的加熱装置１３０を活性化しこれを捕獲装置内部１０８に配置できると考えられる。電気加熱装置については、コード１３４を通じて外部電源から電力を供給される装置としてまたは区画１３６内部に配置されるバッテリなど内部電源から電力を供給される装置としてこれを配置することができる。
【００６１】
周期的に電気放電を行って電気加熱装置１３２に接触する昆虫が感電死するように、電気加熱装置１３２を配置することができる。加熱に加えてまたは希望する場合には加熱の代わりに感電死の機能を備えることができる。
【００６２】
装置１００は、餌または誘引物質１１４を含んでも良いし、含まなくても良い。装置が餌または誘引物質１１４を含む場合、様々な場所に餌または誘引物質１１４を配置することができる。餌または誘引物質１１４の設置場所の２つの例は接着面１１０上及び加熱装置１１２上である。餌または誘引物質は、捕獲装置１００の中へ南京虫など昆虫を引き寄せるために効果的なものを含み、上に特定される餌及び誘引物質を含むことができる。
【００６３】
カバー１０４はベース１０２のスロット１４２と係合するスタンドオフ１４０を含むことができる。スタンドオフ１４０とスロット１４２との間の係合によりカバー１０４をベース１０２の上に保持して昆虫用開口１０６が設けられる。
【００６４】
本明細書において記述される装置は、特に南京虫の生息群を監視するために設計されている。しかし、他の昆虫の生息群を監視し追跡するために同じ装置、構造及びシステムを使用することができる。例えば、本明細書において説明される装置及びシステムを用いて、ゴキブリ、アリ、カブトムシまたはその他の任意の昆虫の生息群を監視することができる。以上の仕様、例及びデータは本発明の形態の製造及び使用に関する完全な説明である。本発明の精神及び範囲から逸脱することなく本発明を多様に実施でき、本発明は付属の特許請求の範囲に表されている。
【図面の簡単な説明】
【００６５】
【図１】本発明の第一の実施形態による南京虫監視装置の側面図である。
【図２】図１の南京虫監視装置の厚紙及び接着ボードコンポーネントの上面図である。
【図３】本発明の第二の実施形態による南京虫監視装置の斜視図である。
【図４】図３の南京虫監視装置の分解図である。
【図５】図３の南京虫監視装置のベースの上面図である。
【図６】図３の南京虫監視装置の蓋の図である。
【図７】図３の南京虫監視装置の側面分解図である。
【図８】本発明のパッドの斜視図である。
【図９】本発明の接着ボードの斜視図である。
【図１０】化学的熱源を含む南京虫監視装置の一部の斜視図である。
【図１１】電気熱源を含む南京虫監視装置の一部の斜視図である。
【図１２】図１０及び１１に示される南京虫監視装置の部分に使用するためのカバーの斜視図である。
【図１３】図１２のカバーの下面角の斜視図である。
【図１４】南京虫監視装置の部分斜視図である。
【図１】
2009505675.tif 000003
【図２】
2009505675.tif 000004
【図３】
2009505675.tif 000005
【図４】
2009505675.tif 000006
【図５】
2009505675.tif 000007
【図６】
2009505675.tif 000008
【図７】
2009505675.tif 000009
【図８】
2009505675.tif 000010
【図９】
2009505675.tif 000011
【図１０】
2009505675.tif 000012
【図１１】
2009505675.tif 000013
【図１２】
2009505675.tif 000014
【図１３】
2009505675.tif 000015
【図１４】
2009505675.tif 000016
【国際調査報告】
2009505675.tif 000017
2009505675.tif 000018
2009505675.tif 000019
2009505675.tif 000020
2009505675.tif 000021